(57)【特許請求の範囲】
【請求項１】
グローブボックス内に配設される機器と、
該機器をインストルメントパネルリインフォースに固定するための取付手段と、
グローブボックスが配設されるためのインストルメントパネルの開口部に対応する位置に取付られ、且つ前記機器をインストルメントパネルのインストルメントパネルリインフォース側からグローブボックス側に挿入する挿入口を備えたインストルメントパネル側カバーと、
前記機器に取付けられ、前記機器が少なくとも前記インストルメントパネルの開口部より車室内側に向けて露出する面を覆う機器側カバーと、
を備え、
前記機器側カバーの車幅方向の寸法と上下方向の寸法とが、これらの寸法に対応する前記インストルメントパネル側カバーの前記挿入口の各寸法よりも大きく設定されており、 前記取付手段は、車両後方斜め上側へ延設された第１の取付部と、車両前方へ延設された第２の取付部と、を備え、
前記第１の取付部には、固定部材が挿入される第１の切欠部が車両後方側に開口を向けて形成されており、
前記第２の取付部と、該第２の取付部に連結されるインストルメントパネルリインフォースに設けられた取付部とのうちの少なくとも一方には、車両前方斜め上側に開口を向けた第２の切欠部が形成されており、他方には、前記第２の切欠部に嵌合する嵌合部が形成され、前記機器に後方から荷重が入力した場合に前記機器が前記インストルメントパネルリインフォースに対して、車両後側が下方となる向きに回転し傾斜することを特徴とするグローブボックス内の機器固定構造。
【発明の詳細な説明】
【０００１】
【発明の属する技術分野】
本発明はグローブボックス内の機器固定構造に係り、特に、自動車等の車両に装備されているグローブボックス内の機器固定構造に関する。
【０００２】
【従来の技術】
従来、自動車等の車両において、インストルメントパネルにコンパクトディスク（以下ＣＤという）チェンジャー等の機器を搭載する場合には、図７に示される如く、インストルメントパネル７０に形成されたグローブボックス７２の上部に、特別にアッパグローブボックス７４を設け、図８に示される如く、このアッパグローブボックス７４内にＣＤチェンジャー７６を搭載するようになっている。
【０００３】
【発明が解決しようとする課題】
しかしながら、このグローブボックス内の機器固定構造では、ＣＤチェンジャー７６を搭載する車両に対して、アッパグローブボックス７４を有する特別な構造としたインストルメントパネル７０を使用するため、ＣＤチェンジャー７６を搭載しない車両に対しても、アッパグローブボックス７４を有する特別な構造としたインストルメントパネル７０を共用するか、または、ＣＤチェンジャー７６を搭載する車両についてのみ、アッパグローブボックス７４を有する専用のインストルメントパネル７０を設定する必要がある。
【０００４】
また、ＣＤチェンジャーをインストルメントパネルリインフォースメントに固定した場合には、ＣＤチェンジャーの操作面とインストルメントパネルの開口部との位置合わせが困難であるという問題がある。
【０００５】
本発明は上記事実を考慮し、グローブボックス内に機器を搭載するための特別な構造としたインストルメントパネルを必要とせず、且つ製造誤差を吸収することができ、インストルメントパネル側カバーに対する機器の位置合わせが容易となるグローブボックス内の機器固定構造を得ることが目的である。
【０００６】
【課題を解決するための手段】
請求項１記載の本発明のグローブボックス内の機器固定構造は、グローブボックス内に配設される機器と、
該機器をインストルメントパネルリインフォースに固定するための取付手段と、
グローブボックスが配設されるためのインストルメントパネルの開口部に対応する位置に取付られ、且つ前記機器をインストルメントパネルのインストルメントパネルリインフォース側からグローブボックス側に挿入する挿入口を備えたインストルメントパネル側カバーと、
前記機器に取付けられ、前記機器が少なくとも前記インストルメントパネルの開口部より車室内側に向けて露出する面を覆う機器側カバーと、
を備え、
前記機器側カバーの車幅方向の寸法と上下方向の寸法とが、これらの寸法に対応する前記インストルメントパネル側カバーの前記挿入口の各寸法よりも大きく設定されており、 前記取付手段は、車両後方斜め上側へ延設された第１の取付部と、車両前方へ延設された第２の取付部と、を備え、
前記第１の取付部には、固定部材が挿入される第１の切欠部が車両後方側に開口を向けて形成されており、
前記第２の取付部と、該第２の取付部に連結されるインストルメントパネルリインフォースに設けられた取付部とのうちの少なくとも一方には、車両前方斜め上側に開口を向けた第２の切欠部が形成されており、他方には、前記第２の切欠部に嵌合する嵌合部が形成され、前記機器に後方から荷重が入力した場合に前記機器が前記インストルメントパネルリインフォースに対して、車両後側が下方となる向きに回転し傾斜することを特徴としている。
【０００７】
従って、グローブボックス内に機器を搭載する場合には、インストルメントパネル側カバーの挿入口を通して、機器をインストルメントパネルのインストルメントパネルリインフォース側からグローブボックス側に挿入し、取付手段により機器をインストルメントパネルリインフォースに直接固定するため、グローブボックス内に機器を搭載するための特別な構造としたインストルメントパネルを必要としない。
【０００８】
また、インストルメントパネルの開口部より車室内側に向けて露出する機器の面を覆う機器側カバーの車幅方向の寸法と上下方向の寸法とが、これらの寸法に対応するインストルメントパネル側カバーの挿入口の各寸法よりも大きく設定されるため、製造誤差を吸収することができ、インストルメントパネル側カバーに対する機器側カバーの位置合わせが容易となる。
【００１０】
また、車両後方側から機器に荷重が入力した場合には、機器が取付けられた取付手段の第１の取付部に形成された第１の切欠部から固定部材が外れる。この時、第１の取付部が車両後方斜め上側へ延設されているため、機器がインストルメントパネルリインフォースに対して、車両後側が下方となる向きに回転し傾斜する。機器の傾斜角が第２の取付部とインストルメントパネルリインフォースに設けられた取付部とのうちの少なくとも一方に形成された第２の切欠部の開口方向、即ち、車両前方斜め上側になると、第２の切欠部から、第２の取付部とインストルメントパネルリインフォースに設けられた取付部材とのうちの他方に設けれた嵌合部が外れる。このため、機器は車両前方斜め上側に向かって移動する。従って、機器に車両後方から荷重が作用した場合に、機器の車両前方側に配設された部品を回避して、機器を車両前方へ移動できる。
【００１１】
【発明の実施の形態】
本発明のグローブボックス内の機器固定構造の一実施形態を図１〜図６に従って説明する。
【００１２】
なお、図中矢印ＦＲは車両前方方向を、矢印ＵＰは車両上方方向を、矢印ＩＮは車幅内側方向を示す。
【００１３】
図１に示される如く、インストルメントパネル１０の助手席の前方となる部位には、グローブボックス１２が形成されており、このグローブボックス１２はドア１４と収納部１６が一体となった、所謂ビンタイプになっている。ドア１４の両側面１４Ａの下端部近傍には、車幅方向外側へ向けて軸部１８が突出している。これらの軸部１８は、インストルメントパネル１０に回転可能に軸支されており、グローブボックス１２は軸部１８を中心に開放方向（図１の矢印Ａ方向）及び閉塞方向（図１の矢印Ｂ方向）へ回転可能となっている。
【００１４】
インストルメントパネル１０の内側（車両前方側）には、グローブボックス１２の収納部１６の上方となる部位に、インストルメントパネルリインフォース（以下インパネリインフォースという）２０が配設されている。このインパネリインフォース２０は、車幅方向に沿って配設されており、車幅方向両端部が図示を省略したフロントピラー等の車両骨格部材に接合されている。また、インパネリインフォース２０からは、固定部材としてのスタッドボルト２２が車両後側斜め下方へ向けて突出している。
【００１５】
図２に示される如く、スタッドボルト２２は、車幅方向に所定の間隔を開けて２本設けられており、それぞれのスタッドボルト２２に、取付手段としての左右のＣＤチェンジャーブラケット２４の第１の取付部２４Ａが、ナット２６によって固定されている。
【００１６】
図１に示される如く、ＣＤチェンジャーブラケット２４の第１の取付部２４Ａは、車両後方斜め上側へ延設されている。、また、ＣＤチェンジャーブラケット２４の車両前端部に形成された第２の取付部２４Ｂには、嵌合部としての円筒形状の樹脂クリップ３０が車幅方向に沿って配設されている。
【００１７】
図３に示される如く、ＣＤチェンジャーブラケット２４の第１の取付部２４Ａには、車両後方側に開口を向けたＵ字状の第１の切欠部２８が形成されており、この第１の切欠部２８内にスタッドボルト２２が嵌合している。また、樹脂クリップ３０には、周方向に所定の間隔を開けて複数のスリット３２が形成されており、樹脂クリップ３０は縮径するようになっている。
【００１８】
樹脂クリップ３０には、インパネリインフォース２０に取付けられた取付部としてのリインフォースブラケット３６が嵌合している。このリインフォースブラケット３６は、車両後方側端部に形成されたフランジ３６Ａが、インパネリインフォース２０の外周面に接合されている。リインフォースブラケット３６の車両前方側端部３６Ｂには、車両前方斜め上側に開口を向けたＵ字状の第２の切欠部４０が形成されており、この第２の切欠部４０内に樹脂クリップ３０が嵌合している。
【００１９】
図２に示される如く、左右のＣＤチェンジャーブラケット２４の間には、ボックス状のＣＤチェンジャー４２が配設されており、ＣＤチェンジャー４２は、ボルト４３によって、左右の側壁部４２Ａ、４２Ｂが左右のＣＤチェンジャーブラケット２４に固定されている。ＣＤチェンジャー４２の前壁部４２Ｃには、操作部４４が配設されており、ＣＤチェンジャー４２の前壁部４２Ｃと下壁部４２Ｄの前部には、機器側カバーとしてのＣＤチェンジャーカバー４６が被せられている。ＣＤチェンジャーカバー４６は、前壁部４６Ａと下壁部４６Ｂとからなり、側面視でＬ字状となっており、前壁部４６Ａには、ＣＤチェンジャー４２の操作部４４と対向する位置に、ＣＤチェンジャー操作窓部４８が穿設されている。
【００２０】
ＣＤチェンジャーカバー４６の前壁部４６Ａと下壁部４６Ｂには、それぞれ螺子穴が形成された取付け凸部５０、５２が形成されている。一方、左右のＣＤチェンジャーブラケット２４には、ＣＤチェンジャーカバー取付部２４Ｃ、２４Ｄが形成されている。これらのＣＤチェンジャーカバー取付部２４Ｃ、２４Ｄには、取付穴が穿設されており、これらの取付穴に挿入されたビス５４が、ＣＤチェンジャーカバー４６の凸部５０、５２の螺子穴に螺合している。
【００２１】
図１に示される如く、ＣＤチェンジャーカバー４６の前壁部４６Ａの裏面側の上下方向両端部近傍には、位置決め用のリブ４６Ｃ、４６Ｄが形成されており、ＣＤチェンジャー４２に対するＣＤチェンジャーカバー４６の上下方向の位置決めを行っている。
【００２２】
図４に示される如く、ＣＤチェンジャーカバー４６の前壁部４６Ａの裏面側の車幅方向両端部近傍には、位置決め用のリブ４６Ｅ、４６Ｆが形成されており、ＣＤチェンジャー４２に対するＣＤチェンジャーカバー４６の車幅方向の位置決めを行っている。
【００２３】
図１に示される如く、グローブボックス１２が収納されるインストルメントパネル１０の部位には、インストルメントパネル側カバーとしてのロアパネル６０が配設されている。
【００２４】
図４に示される如く、ロアパネル６０には、ＣＤチェンジャーカバー４６の前壁部４６Ａと対向する部位に開口部６２が形成されており、ロアパネル６０の開口部６２に比べて、ＣＤチェンジャーカバー４６の前壁部４６Ａが大きく設定されている。
【００２５】
従って、図５に示される如く、ロアパネル６０の開口部６２は、車両後方から見るとＣＤチェンジャーカバー４６の前壁部４６Ａで閉塞されている。なお、ロアパネル６０はクリップ６４によって、インストルメントパネルに固定されている。
【００２６】
次に、本実施形態の作用を説明する。
本実施形態では、図１に示される如く、グローブボックス１２内にＣＤチェンジャー４２を搭載する場合に、左右のＣＤチェンジャーブラケット２４とリインフォースブラケット３６によりＣＤチェンジャー４２をインパネリインフォース２０に直接固定する。従って、図６に示される如く、グローブボックス１２内にＣＤチェンジャーを搭載しない場合にも、インストルメントパネル１０及びロアパネル６０をＣＤチェンジャーを搭載した場合と同一部品とすることができる。このため、ＣＤチェンジャー４２を搭載するための特別な構造としたインストルメントパネル１０を必要としない。また、グローブボックス１２をアッパグローブボックスとアンダグローブボックスとに分割する必要がないため、グローブボックス１２の容積を大きくできると共に、ボックスタイプのグローブボックスにも適用できるため、意匠の自由度が上がる。
【００２７】
また、本実施形態では、ロアパネル６０の開口部６２に比べて、ＣＤチェンジャーカバー４６が大きいので、ロアパネル６０の開口部６２に対して、ＣＤチェンジャー４２及びＣＤチェンジャーカバー４６に製造誤差が生じても、図５に示される如く、ロアパネル６０の開口部６２とＣＤチェンジャーカバー４６との合せ部において、これらの誤差を吸収できる。その結果、ロアパネル６０に対するＣＤチェンジャーカバー４６の位置合わせが容易となる。
【００２８】
また、本実施形態では、ＣＤチェンジャーカバー４６の位置決め用のリブ４６Ｃ、４６Ｄ、リブ４６Ｅ、４６Ｆにより、ＣＤチェンジャー４２に対するＣＤチェンジャーカバー４６の位置決めを行っているため、ＣＤチェンジャー４２の操作部４４とＣＤチェンジャー操作窓部４８との建付品質が向上する。
【００２９】
また、本実施形態では、車両後方側から機器に荷重（図１の矢印Ｆ）が入力した場合には、ＣＤチェンジャー４２が取付けられたＣＤチェンジャーブラケット２４の第１の取付部２４Ａに形成された第１の切欠部２８からスタッドボルト２２が滑り抜ける。この時、第１の取付部２４Ａが車両後方斜め上側へ延設されているため、第１の取付部２４Ａが、インパネリインフォース２０、スタッドボルト２２及びナット２６にガイドされ、ＣＤチェンジャー４２は、ＣＤチェンジャーブラケット２４の第２の取付部２４Ｂに配設された樹脂クリップ３０を中心に、時計回転方向（図１の矢印Ｃ方向）へ回転し、図１に二点鎖線で示されるように傾斜する。
【００３０】
なお、図示を省略したが、ＣＤチェンジャー４２とともに、ＣＤチェンジャーカバー４６も回転する。
【００３１】
また、回転するＣＤチェンジャー４２は、常に、車両前方側への分力を有しているため、ＣＤチェンジャー４２の傾斜角が、リインフォースブラケット３６に形成された第２の切欠部４０の開口方向、即ち、車両前方斜め上側（図１の矢印Ｄ方向）になると、第２の切欠部４０から、ＣＤチェンジャーブラケット２４の第２の取付部２４Ｂに配設された樹脂クリップ３０が外れる。このため、ＣＤチェンジャー４２は図１の矢印Ｄ方向に向けて移動する。従って、ＣＤチェンジャー４２の移動によってエネルギーを吸収することができると共に、ＣＤチェンジャー４２の車両前方側に配設された部品を回避して、ＣＤチェンジャー４２を車両前方へ移動することができる。
【００３２】
また、本実施形態では、ＣＤチェンジャー４２がＣＤチェンジャーブラケット２４の第１の取付部２４Ａ及び第２の取付部２４Ｂを介して、インパネリインフォース２０に固定されており、組付け強度が十分に確保されている。このため、ＣＤチェンジャー４２の音飛びやインストルメントパネル１０の熱変形が発生し難い。
【００３３】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、本実施形態では、グローブボックス１２内にＣＤチェンジャー４２を固定したが、ＣＤチェンジャー４２に代えて他の機器をグローブボックス１２内に固定しても良い。
【００３４】
また、本実施形態では、リインフォースブラケット３６に第２の切欠部４０を形成し、ＣＤチェンジャーブラケット２４の第２の取付部２４Ｂに樹脂クリップ３０を設けたが、これに代えて、リインフォースブラケット３６に樹脂クリップ３０を設け、ＣＤチェンジャーブラケット２４の第２の取付部２４Ｂに第２の切欠部４０を形成しても良い。また、樹脂クリップ３０に代えて、他の嵌合部を設けても良い。
【００３５】
【発明の効果】
請求項１記載の本発明のグローブボックス内の機器固定構造は、グローブボックス内に配設される機器と、機器をインストルメントパネルリインフォースに固定するための取付手段と、グローブボックスが配設されるためのインストルメントパネルの開口部に対応する位置に取付られ、且つ機器をインストルメントパネルのインストルメントパネルリインフォース側からグローブボックス側に挿入する挿入口を備えたインストルメントパネル側カバーと、機器に取付けられ、機器が少なくともインストルメントパネルの開口部より車室内側に向けて露出する面を覆う機器側カバーと、を備え、機器側カバーの車幅方向の寸法と上下方向の寸法とが、これらの寸法に対応するインストルメントパネル側カバーの挿入口の各寸法よりも大きく設定されており、取付手段は、車両後方斜め上側へ延設された第１の取付部と、車両前方へ延設された第２の取付部と、を備え、第１の取付部には、固定部材が挿入される第１の切欠部が車両後方側に開口を向けて形成されており、第２の取付部と、第２の取付部に連結されるインストルメントパネルリインフォースに設けられた取付部とのうちの少なくとも一方には、車両前方斜め上側に開口を向けた第２の切欠部が形成されており、他方には、第２の切欠部に嵌合する嵌合部が形成され、機器に後方から荷重が入力した場合に機器がインストルメントパネルリインフォースに対して、車両後側が下方となる向きに回転し傾斜するため、グローブボックス内に機器を搭載するための特別な構造としたインストルメントパネルを必要とせず、且つ製造誤差を吸収することができ、インストルメントパネル側カバーに対する機器の位置合わせが容易となるという優れた効果を有する。また、機器に車両後方から荷重が作用した場合に、機器の車両前方側に配設された部品を回避して、機器を車両前方へ移動できるという優れた効果を有する。
【図面の簡単な説明】
【図１】本発明の一実施形態に係るグローブボックス内の機器固定構造を示す側断面図である。
【図２】本発明の一実施形態に係るグローブボックス内の機器固定構造の要部を示す車両斜め後方から見た分解斜視図である。
【図３】本発明の一実施形態に係るグローブボックス内の機器固定構造の一部を示す車両斜め後方から見た拡大斜視図である。
【図４】図１の４−４線に沿った断面図である。
【図５】本発明の一実施形態に係るグローブボックス内の機器固定構造のロアパネルとＣＤチェンジャーカバーを示す車両後方から見た正面図である。
【図６】本発明の一実施形態に係るグローブボックス内の機器固定構造のＣＤチェンジャーを搭載しない状態を示す側断面図である。
【図７】従来の実施形態に係るグローブボックス内の機器固定構造のグローブボックスを閉じた状態を示す斜視図である。
【図８】従来の実施形態に係るグローブボックス内の機器固定構造のグローブボックスを開けた状態を示す斜視図である。
【符号の説明】
１０    インストルメントパネル
１２    グローブボックス
２０    インストルメントパネルリインフォース
２２    スタッドボルト（固定部材）
２４    ＣＤチェンジャーブラケット（取付手段）
２４Ａ    第１の取付部
２４Ｂ    第２の取付部
２４Ｃ    ＣＤチェンジャーカバー取付部
２４Ｄ    ＣＤチェンジャーカバー取付部
２８    第１の切欠部
３０    樹脂クリップ（嵌合部）
３６    リインフォースブラケット（取付部）
４０    第２の切欠部
４２    ＣＤチェンジャー
４６    ＣＤチェンジャーカバー（機器側カバー）
６０    ロアパネル（インストルメントパネル側カバー）
【図１】
0003546603.tif 000002
【図２】
0003546603.tif 000003
【図３】
0003546603.tif 000004
【図４】
0003546603.tif 000005
【図５】
0003546603.tif 000006
【図６】
0003546603.tif 000007
【図７】
0003546603.tif 000008
【図８】
0003546603.tif 000009